(57)【要約】【課題】高温高湿下においても噴霧性能が低下しない噴霧組成物を提供する。【解決手段】静電噴霧装置に用いられる噴霧組成物は、電気伝導率が７０μＳ／ｍ（２５℃）以上２５０μＳ／ｍ（２５℃）以下であり、粘度が１ｍＰａ・Ｓ（２０℃）以上１０ｍＰａ・Ｓ（２０℃）以下であり、かつ、表面張力が２０ｍＮ／ｍ（２０℃）以上４０ｍＮ／ｍ（２０℃）以下である。【選択図】図１
2014018363.tif 000002
【特許請求の範囲】
【請求項１】
電気伝導率が７０μＳ／ｍ（２５℃）以上２５０μＳ／ｍ（２５℃）以下であることを特徴とする、静電噴霧装置に用いられる噴霧組成物。
【請求項２】
粘度が１ｍＰａ・Ｓ（２０℃）以上１０ｍＰａ・Ｓ（２０℃）以下であり、かつ、表面張力が２０ｍＮ／ｍ（２０℃）以上４０ｍＮ／ｍ（２０℃）以下であることを特徴とする請求項１に記載の噴霧組成物。
【請求項３】
請求項１または２に記載の噴霧組成物を高温高湿下で噴霧することを特徴とする組成物の噴霧方法。
【発明の詳細な説明】
【技術分野】
【０００１】
本発明は、静電噴霧装置に用いられる噴霧組成物、および組成物の噴霧方法に関するものである。
【背景技術】
【０００２】
静電噴霧とは、噴霧される物質に好適な電場を与え、その物質を分散させる技術をいい、多くの場合、その物質を液体から微細液滴として分散させる。噴霧される物質に近接する電極（スプレー電極）と、そのスプレー電極の近傍の少なくとももう１つの電極との間に電圧が印加される。
【０００３】
静電噴霧装置から噴霧される液滴の大きさ、電荷、および流量は、その一部が、噴霧される物体の物理的特性と、噴霧位置における電界強度とによって決まることも知られている。
【先行技術文献】
【特許文献】
【０００４】
【特許文献１】欧州特許出願公開第１３９９２６５号明細書
【発明の概要】
【発明が解決しようとする課題】
【０００５】
しかしながら、従来の技術には次のような問題がある。
【０００６】
すなわち、特許文献１の従来の静電噴霧装置では、高湿度環境下で噴霧すると噴霧性能が低下することが多い。したがって、高湿度環境下で静電噴霧装置を使用した場合、噴霧の安定性が損なわれ、期待する噴霧効果が抑制される場合がある。
【０００７】
本発明はこのような事情に鑑みてなされたものであって、高温高湿下においても噴霧性能が低下しない噴霧組成物を提供すること、および、噴霧組成物を高温高湿下で安定的に噴霧する方法を提供することを目的とする。
【課題を解決するための手段】
【０００８】
本発明に係る静電噴霧装置に用いられる噴霧組成物は、電気伝導率が７０μＳ／ｍ（２５℃）以上２５０μＳ／ｍ（２５℃）以下であることを特徴としている。
【０００９】
また、本発明に係る静電噴霧装置に用いられる噴霧組成物は、粘度が１ｍＰａ・Ｓ（２０℃）以上１０ｍＰａ・Ｓ（２０℃）以下であり、かつ、表面張力が２０ｍＮ／ｍ（２０℃）以上４０ｍＮ／ｍ（２０℃）以下であってもよい。
【００１０】
また、本発明に係る組成物の噴霧方法は、上記何れかの噴霧組成物を高温高湿下で噴霧する構成であってよい。
【発明の効果】
【００１１】
本発明の静電噴霧装置に用いられる噴霧組成物は、電気伝導率が７０μＳ／ｍ（２５℃）以上２５０μＳ／ｍ（２５℃）以下である。
【００１２】
それゆえ、高温高湿下においても噴霧性能が低下しない噴霧組成物を提供することができるという効果を奏する。
【図面の簡単な説明】
【００１３】
【図１】電気伝導率と噴霧量との関係を示す図である。
【発明を実施するための形態】
【００１４】
以下、静電噴霧装置を説明する。そのうえで、当該静電噴霧装置に用いられる、本実施の形態に係る噴霧組成物等について説明する。
（静電噴霧装置について）
まず、静電噴霧装置について説明する。静電噴霧装置は、芳香油、農産物用化学物質、医薬品、農薬、殺虫剤、空気清浄化薬剤等の噴霧等に用いられる装置であり、少なくとも、スプレー電極と、基準電極と、電源装置と、誘電体とを備える。なお、静電噴霧装置は、電源装置が外部に設けられ、その電源装置と接続される構成で実現されてもよい。
【００１５】
スプレー電極は、金属性キャピラリ（例えば、304型ステンレス鋼など）等の導電性導管と、先端部であるスプレー部位とを有する。スプレー電極は、電源装置を介して基準電極と接続され、スプレー部位から噴霧物質を噴霧する。
【００１６】
基準電極は、金属ピン（例えば、304型スチールピンなど）等の導電性ロッドからなる。スプレー電極および基準電極は、一定の間隔をあけて離間し、互いに平行に配置されている。また、スプレー電極および基準電極は、例えば、互いに８ｍｍの間隔をあけて配置される。
【００１７】
電源装置は、スプレー電極と基準電極との間に高電圧を印加する。例えば、電源装置は、スプレー電極と基準電極との間に１−３０ｋＶの間の高電圧（例えば、３−７ｋＶ）を印加する。高電圧が印加されると電極間に電場が形成され、誘電体の内部に電気双極子が生じる。このとき、スプレー電極は正に帯電し、基準電極２は負に帯電する（その逆でもよい）。そして、負の双極子が正のスプレー電極に最も近い誘電体の表面に生じ、正の双極子が負の基準電極に最も近い誘電体の表面に生じ、帯電したガスおよび物質種が、スプレー電極および基準電極によって放出される。
【００１８】
誘電体は、例えばナイロン６、ナイロン１１、ナイロン１２、ナイロン６６またはポリアセチル−ポリテトラフルオロエチレン混合物などの誘電体材料からなる。誘電体は、スプレー電極をスプレー電極取付部において支持し、基準電極を基準電極取付部において支持する。
（噴霧組成物）
本実施の形態に係る噴霧組成物は、芳香油、農産物用化学物質、医薬品、農薬、殺虫剤、空気清浄化薬剤等の噴霧に用いられる。ただし、従来の噴霧組成物は、高湿度環境下で噴霧すると噴霧性能が低下することが多い。そのため、本実施の形態に係る噴霧組成物は、電気伝導率が２５℃で７０μＳ／ｍ以上２５０μＳ／ｍ以下であること等を特徴としている。以下、その詳細を説明する。
【００１９】
表１は、確認試験に用いた噴霧組成物の組成を示す。表１において、各組成物の調製に使用したフレグランスオイルＡは、Ｆｉｒｍｅｎｉｃｈ社製（Ｆｉｒｍｅｎｉｃｈ  Ｓ．Ａ．，Ｒｏｕｔｅ  ｄｅｓ  Ｊｅｕｎｅｓ  １，Ｐ．Ｏ．Ｂｏｘ  ２３９，Ｇｅｎｅｖｅ  ８  ＣＨ−１２１１，Ｓｗｉｔｚｅｒｌａｎｄ）のフレグランスオイル１８０２６２である。
【００２０】
【表１】
2014018363.tif 000003
【００２１】
表１に示すように、噴霧組成物の組成はそれぞれ、水（ＨＰＬＣグレード）と酢酸ナトリウムの含有率（質量％）が異なり、それにより、各噴霧組成物の電気伝導率は、２５℃で２５μＳ／ｍ〜２５０μＳ／ｍと幅をもたせている。
【００２２】
上記組成物を「欧州特許公開第１３９９２６５号」に開示されている静電噴霧装置（Cleanaerモデル、Atrium Innocation Ltd.)の貯液槽中に供給した。静電噴霧装置を試験室内に設置し、スイッチを入れてから１ヶ月間作動させ、１ヵ月後の組成物の減少量を日数で割ったものを平均噴霧量（ｇ／ｄａｙ）として算出した。その結果が、図１である。
【００２３】
図１は、電気伝導率と１ヶ月間の平均噴霧量との関係を示す図である。図中の菱形は、気温２４−２７℃、湿度５０％未満の環境下で噴霧試験を実施した結果を示す。図中の四角は、気温２３−３２℃、湿度５０−８６％ＲＨの環境下で噴霧試験を実施した結果を示す。図中の数値は、それぞれ５回の噴霧試験の平均値である。
【００２４】
この条件下で試験を行った結果、次の点が明らかになった。具体的には、電気伝導率が２５０ｕＳ／ｍ以下の場合には、たとえ気温２３℃−３２％、湿度５０％−８６％という高温高湿度下であっても、噴霧装置から薬液を広く空気中に噴霧させることが可能である。電気伝導率が７０ｕＳ／ｍ未満の場合には、静電噴霧装置から噴霧される液滴が大きくなってしまい、組成物を広く空気中へ拡散させることが困難になることが観察された。
【００２５】
このことから、電気伝導率を２５℃で７０ｕＳ／ｍ以上、２５０ｕＳ／ｍ以下にすることで、高温高湿環境下においても静電噴霧装置の噴霧性能を維持できることが見出された。
【００２６】
さらに、組成物の粘度を２０℃で１ｍＰａ・ｓ〜１０ｍＰａ・ｓの範囲にあるように調製し、さらに、組成物の表面張力を２０℃で２０ｍＮ／ｍ〜４０ｍＮ／ｍの範囲にあるように調製することで、効率的に組成物を噴霧することができる。
【００２７】
噴霧組成物の他の例として、芳香油を用いて表２〜表４の組成とすることもできる。
【００２８】
【表２】
2014018363.tif 000004
【００２９】
【表３】
2014018363.tif 000005
【００３０】
【表４】
2014018363.tif 000006
【００３１】
ここで、表２〜表４に記載される各組成物の調製に使用したフレグランスオイルＡ、Ｂはそれぞれ、Ｆｉｒｍｅｎｉｃｈ社製（Ｆｉｒｍｅｎｉｃｈ  Ｓ．Ａ．，Ｒｏｕｔｅ  ｄｅｓ  Ｊｅｕｎｅｓ  １，Ｐ．Ｏ．Ｂｏｘ  ２３９，Ｇｅｎｅｖｅ  ８  ＣＨ−１２１１，Ｓｗｉｔｚｅｒｌａｎｄ）のフレグランスオイル１０８２６２、２２５６９６である。
【００３２】
さらに、組成物は、殺虫剤や空気清浄化剤として噴霧することを目的としてもよい。その一例を表５〜表９に示す。
【００３３】
【表５】
2014018363.tif 000007
【００３４】
なお、表５中の成分Ａは、（２，３，５，６−テトラフルオロ−４−メチルフェニル）メチル＝（１Ｒ）−トランス−２，２−ジメチル−３−（（Ｚ）-１−プロペニル）シクロプロパンカルボキシレートである。
【００３５】
【表６】
2014018363.tif 000008
【００３６】
なお、表６中の成分Ｂは、［（２，３，５，６−テトラフルオロ−４−（メトキシメチル）フェニル）］メチル＝（１Ｒ）−トランス−２，２−ジメチル−３−（（Ｚ）−１−プロペニル）シクロプロパンカルボキシレートである。
【００３７】
【表７】
2014018363.tif 000009
【００３８】
なお、表７中の成分Ｃは、［２，３，５，６−テトラフルオロ−４−（メトキシメチル）フェニル］メチル＝（１Ｒ）−トランス−３−（２−シアノ−１−プロペニル（Ｅ／Ｚ＝１／９））−２，２−ジメチルシクロプロパンカルボキシレートである。
【００３９】
【表８】
2014018363.tif 000010
【００４０】
なお、表８中の成分Ｄは、[２，３，５，６−テトラフルオロ−４−（メトキシメチル）フェニル］メチル＝（１Ｒ）−トランス−２，２−ジメチル−３−（２−メチル−１−プロペニル）シクロプロパンカルボキシレートである。
【００４１】
【表９】
2014018363.tif 000011
【００４２】
表２〜表９に示す噴霧組成物は、表１に記載の組成とは異なる。しかしながら、何れの組成においても、電気伝導率を２５℃で７０ｕＳ／ｍ以上、２５０ｕＳ／ｍ以下とすることで、高温高湿環境下においても静電噴霧装置の噴霧性能を維持できる。また、組成物の粘度を２０℃で１ｍＰａ・ｓ〜１０ｍＰａ・ｓの範囲にあるように調製し、さらに、組成物の表面張力を２０℃で２０ｍＮ／ｍ〜４０ｍＮ／ｍの範囲にあるように調製することで、効率的に組成物を噴霧することができる。
【００４３】
これは、噴霧組成物が、芳香、殺虫目的の場合に限られるものではなく、例えば、医薬、農薬、空気清浄化薬剤等として用いられる場合にも該当する。
【００４４】
そして、電気伝導率を７０ｕＳ／ｍ以上、２５０ｕＳ／ｍ以下において、好ましくは、組成物の粘度が２０℃で１ｍＰａ・ｓ〜１０ｍＰａ・ｓの範囲にあるように調製され、さらに、組成物の表面張力が２０℃で２０ｍＮ／ｍ〜４０ｍＮ／ｍの範囲にあるように調製された組成物を高温高湿下で噴霧する組成物の噴霧方法も、本発明の技術的範囲に含まれる。
【００４５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００４６】
本発明は、静電噴霧装置に用いられる噴霧組成物、および組成物の噴霧方法に好適に適用することができる。
【図１】
2014018363.tif 000012